(57)【特許請求の範囲】
【請求項１】
電路に接続され、該電路の各相に可動接触子を有する開閉接点と、該開閉接点を収容し、絶縁材料で形成されたベース及びカバーからなる筐体と、前記可動接触子を回動動作させるクロスバーと、このクロスバーを駆動し前記開閉接点を接離する開閉機構と、大電流発生時に生じる電磁力で回動し前記開閉機構を駆動する可動鉄心と、を備えた回路遮断器において、
前記可動鉄心と前記クロスバーとの間にバリアを設け、該バリアは、大電流発生時に発生するガスを前記可動鉄心に吹き付ける穴を有することを特徴とする回路遮断器。
【請求項２】
前記バリアは、前記ベースに設けられた溝に挿着されることを特徴とする請求項１に記載の回路遮断器。
【請求項３】
前記カバーは、前記筐体内に内部付属装置を収容する付属装置収容室を有し、この付属装置収容室の底面が前記バリアに当接または近接することを特徴とする請求項１または２に記載の回路遮断器。
【発明の詳細な説明】
【技術分野】
【０００１】
この発明は、配線用遮断器、漏電遮断器などの回路遮断器に関し、詳しくは回路遮断器の内部を画成するバリア構造に係る。
【背景技術】
【０００２】
従来の回路遮断機では、遮断時のアークにより絶縁部材から発生するススおよびグリッド，接点などの金属溶融物がリレー空間に拡散するのを防止するため、また、遮断時に発生するアークの周囲の消弧空間を高圧に維持することでアーク電流を抑制する限流性能が向上させるため、遮断器内部に仕切隔壁を設け、開閉接点および消弧装置を配置した遮断室を画成するようにしている。
また、平時の負荷電流の通電時には遮断室内の温度上昇抑制のため開放され外気を取り込み、遮断時には遮断電流に対応する遮断室の圧力レベルで閉じられ遮断室内の圧力を高圧にする弁機構を、遮断室の排気口に設けたものが知られている（例えば、特許文献１参照。）。
【先行技術文献】
【特許文献】
【０００３】
【特許文献１】特許２００９−１４０８３８号  第１図
【発明の概要】
【発明が解決しようとする課題】
【０００４】
しかしながら、従来のように仕切隔壁により遮断室を画成して、遮断時に遮断室を高圧にするための弁機構を設けることは、コストアップに繋がるとともに、遮断時に発生する金属溶融物が弁に付着して、弁機構の作動不良を引き起こす等の問題点があった。
【０００５】
本発明は、上述のような課題を解決するためになされたもので、大電流発生による遮断時に遮断室内の圧力を高圧にして，遮断性能の向上が図れる回路遮断器を得ることを目的とするものである。
【課題を解決するための手段】
【０００６】
この発明の回路遮断器は、電路に接続され、この電路の各相に可動接触子を有する開閉
接点と、開閉接点を収容し絶縁材料で形成されたベース及びカバーからなる筐体と、可動
接触子を回動動作させるクロスバーと、このクロスバーを駆動し開閉接点を接離する開閉
機構と、大電流発生時に生じる電磁力で回動し開閉機構を駆動する可動鉄心と、可動鉄心
とクロスバーとの間に設けられたバリアと、を備え、バリアは大電流発生時に発生するガスを前記可動鉄心に吹き付ける穴を有するものである。
【発明の効果】
【０００７】
この発明によれば、可動接触子を回動動作させるクロスバーと、引外し装置の可動鉄心との間にバリアを設けたので、リレー空間と消弧空間が隔離され、短絡遮断時に消弧空間の圧力を高圧に維持でき遮断性能が向上できる。
【図面の簡単な説明】
【０００８】
【図１】本発明の実施の形態１における回路遮断器のオン状態を示す側断面図である。
【図２】本発明の実施の形態１における回路遮断器のトリップ状態を示す側断面図である。
【図３】本発明の実施の形態１におけるバリアを示す斜視図である。
【図４】本発明の実施の形態１におけるバリアを示す側面図と正面図である。
【図５】本発明の実施の形態１における回路遮断器のバリアの設置部分を示す部分断面図である。
【発明を実施するための形態】
【０００９】
実施の形態１．
図１はこの発明の実施の形態１における回路遮断器のオン状態を示す側断面図、図２はトリップ状態を示す側断面図，図３はバリアを示す斜視図，図４はバリアをベースに設置した状態を示す部分断面図、図５はバリアの設置部分を示す部分断面図である。
【００１０】
図１、図２において、回路遮断器１００は、絶縁材料で形成されたベース１１とカバー１２とからなる筐体１０を用いて構成される。ベース１１上には、電路に接続された極数分各相の回路遮断ユニット（例えば３相の場合、３個）が互いに並列に配置され、中央の回路遮断ユニットの上部には、周知のトグルリンク機構を有する開閉機構部（図示しない）が配置される。カバー１２は、ベース１１上の各相の回路遮断ユニットと、開閉機構部を覆い、開閉機構部の操作ハンドル３１はカバー１２から突出する。なお、カバー１２には、回路遮断器１００の内部に内部付属装置を配設できるように開閉可能な上カバー１２ａが設けられている。
各相の回路遮断ユニットは、互いに同じに構成され、クロスバー３２は、各相の回路遮断ユニットに共通して、各相の回路遮断ユニットに直交するように、ベース１１上に配置される。
【００１１】
各相の回路遮断ユニットは、ベース１１に設けられた電源側端子２４と、電源側端子２４より延設された固定接点２１と、この固定接点２１と接離する可動接点２２と、この可動接点２２が一端に設けられ、クロスバー３２により回動自由に保持される可動接触子２３と、この可動接触子２３に可動子ホルダー２６を介して接続された引きはずし装置４０と、引きはずし装置４０に接続され、ベース１１に設けられた負荷側端子２５とを有する。固定接点２１と可動接点２２とで、電路を開閉する開閉接点を構成する。固定接点２１及び可動接点２２の近傍には消弧装置２６が設けられている。可動接点２２が固定接点２１に接触すれば、端子２４、２５の間の電気回路がオンとなり、また、可動接点２２が固定接点２１から開離すれば、端子２４、２５間の電気回路がオフとなる。
【００１２】
クロスバー３２は、ベース１１の底部に配置され、図１、図２の紙面と直交するように延長される。このクロスバー３２は、開閉機構部により、その軸心を中心として回動され、各相の回路遮断ユニットにおける各可動接触子２３がそれぞれ取り付けられる。クロスバー３２がその軸心を中心として回動したときに、各相の回路遮断ユニットの各可動接触子２３が同時に回動され、この可動接触子２３の回動により、可動接点２２が固定接点２１に接離する。開閉機構部は、引きはずし装置４０により駆動される周知のトリップバー３３を備えている。
【００１３】
引きはずし装置４０は、電磁引きはずし装置４１と熱動引きはずし装置４２とから構成される。電磁引きはずし装置４１は、固定鉄心４１ａと、瞬時遮断時に固定鉄心４１ａに吸着され、トリップバー３３を駆動する可動鉄心４１ｂと、可動鉄心４１ｂを付勢する復帰スプリング（図示なし）と、可動鉄心４１ｂを軸支するシャフト４１ｄとを備えている。
【００１４】
熱動引きはずし装置４２は、一端に端子２５を有するヒータ４２ａと、このヒータ４２ａを間に介して固定鉄心４１ａに固着されるバイメタル４２ｂとを備えている。
【００１５】
クロスバー３２と可動鉄心４１ｂの間には、ベース１１とカバー１２の間にバリア１３が設けられており，バリア１３のリブ１３ｂがベースの溝１１ａに係合し，消弧空間８とリレー空間９を隔てている。バリア１３は、ベースの溝１１ａにカバー１２側から溝１１ａに挿入され配設される。
【００１６】
カバー１２のＬ極、Ｒ極に対応する位置には、補助スイッチ、警報スイッチなどの内部付属装置を収納するため、内部付属収納室１２ｂがそれぞれ設けられている。バリア１３は、内部付属収納室１２ｂの底面に近接または当接するように設けられる。
なお、上記は回路遮断器の場合で説明したが、漏電遮断器の場合には、Ｌ極もしくはＲ極のいずれか一方の内部付属収納部１２ｂの替わりに漏電検出部が配設される。
【００１７】
図３、図４に示すように，バリア１３には、可動鉄心４１ｂの受圧部４１ｂ１に対向する位置に穴１３ａが設けられている。また、バリア１３の側面には、リブ１３ｂが設けられ、上面には、上面部１３ｃが設けられている。
【００１８】
図５に示すように、ベース１１には、溝１１ａが設けられており、バリア１３のリブ１３ｂが、溝１１ａに嵌装されている。また、図１、図２に示すように、バリア１３の上面部１３ｃは、カバー１２に設けられた内部付属収納部１２ｂの底面部と当接している。消弧空間８は、溝１１ａに嵌装されたバリア１３と、内部付属収納部１２ｂの底面部と、ベース１１及びカバー１２に設けられた相間隔壁とから各相ごとに形成される。そして、消弧空間８とリレー空間９は、溝１１ａに嵌装されたバリア１３と、内部付属収納部１２ｂの底面部とによって隔離されている。
【００１９】
また、回路遮断器においては、異なる定格電流、異なる遮断容量のものが同じ筐体を用いて構成されることがある。その場合、定格電流、遮断容量の違いにより、バリア１３に設けた穴１３ａの大きさを変更して、大電流発生時の消弧空間８の圧力上昇の最適化を行い、遮断性能を確保する。
【００２０】
なお、穴１３ａは、本実施の形態では、丸穴としたが、四角や三角など、他の形状であってもかまわない。
また、Ｌ極及びＲ極にはさまれたＣ極については、通常、開閉機構部が配設されており、開閉機構部の構成部品がバリア１３の代わり果たすので、バリア１３を設けなくてもよい。
【００２１】
次に回路遮断器１００のトリップ動作について説明する。
短絡電流のような過大電流が流れた場合には、電磁引外し装置４１の固定鉄心４１ａに発生する磁力により、可動鉄心４１ｂが固定鉄心４１ａに吸着され、可動鉄心４１ｂがシャフト４１ｄを回動軸として復帰スプリング（図示しない）の付勢力に抗して回動する。また、短絡遮断発生時の消弧空間８に発生するガスは、バリア１３の穴１３ａを通り流路Ａに沿って可動鉄心４１ｂの受圧部４１ｂ１に吹き付けられるので、このガスにより可動鉄心４１ｂは過大電流により発生する磁力と同じ方向に付勢される。
【００２２】
この回動により可動鉄心４１ｂがトリップバー３３を押し、開閉機構部が駆動され可動接触子２３を回動させる。可動接触子２３の回動により固定接点２１から可動接点２２が開離し、過大電流は遮断されトリップ動作が完了する。
【００２４】
過電流が流れた場合にはまた、所定電流以上の電流がヒータ４２ａを流れヒータ４２ａが発熱し、この発熱によりバイメタル４２ｂが加熱されることにより変形する。バイメタル４２ｂが変形すると調整子（図示しない）がバイメタル４３に固着されているので、調整子（図示しない）の当接部がトリップバー３３を押し、開閉機構部が駆動され可動接触子２３を回動させる。可動接触子２３の回動により固定接点２１から可動接点２２が開離し、電流遮断のトリップ動作が完了する。
【００２５】
本実施の形態によれば、バリア１３により消弧空間８とリレー空間９とを隔離しているので、短絡遮断等の大電発生時に消弧空間８の圧力を高圧に維持することで、遮断性能を向上することできる。
【００２６】
また、短絡遮断等の大電発生時に消弧空間８で発生するガスを回転動作補助に利用することで可動鉄心４１ｂを高速に動作させることができる。
【００２７】
また、バリア１３により消弧空間８とリレー空間９とを隔離しているので、短絡電流等の大電流発生時に消弧空間８で発生するススや金属溶融物が、リレー空間９に拡散するのを防ぐことができる。
【００２８】
また、端子２４、２５、引きはずし装置４０、バリア１３など構成部品をすべてベースに対し一方向から挿入して組み立てできるので、回路遮断器の組み立ての自動化を容易に行うことができる。
【００２９】
また、バリア１３はベース１１とは別体のため、定格電流や遮断容量の違いに応じて、バリア１３を交換すれば穴１３ａの大きさを容易に変更できるので、大電流発生時の消弧空間８の圧力上昇の最適化し、遮断性能を向上することができる。
【符号の説明】
【００３０】
１１  ベース、１２  カバー、１３  バリア、１３ａ  穴、２３  可動接触子、
３２  クロスバー、３３  トリップバー、４１ｂ  可動鉄心、１００  回路遮断器。
【図１】
0005531907.tif 000002
【図２】
0005531907.tif 000003
【図３】
0005531907.tif 000004
【図４】
0005531907.tif 000005
【図５】
0005531907.tif 000006